(57)【特許請求の範囲】
【請求項１】
液体を噴射するノズルを複数列設して成るノズル列が形成されたノズル形成面を有する液体噴射ヘッドと、
前記液体噴射ヘッドが仲介部材を介在させた状態で固定されるヘッド固定部材と、を備えた液体噴射ヘッドユニットであって、
前記液体噴射ヘッドは、前記仲介部材が固定される仲介部材固定部を有し、
前記仲介部材は、前記ヘッド固定部材の仲介部材接着面に対して接着剤によって接着固定されるヘッド固定部材接着面を有し、
前記ヘッド固定部材接着面の外周縁の少なくとも一部には、当該ヘッド固定部材接着面の内側から外側に向かうにつれて前記仲介部材接着面に対して離間する面取り部が、当該外周縁に沿って設けられており、
下記条件（１）〜（３）のうち、少なくとも１つ以上の条件を満たすことを特徴とする液体噴射ヘッドユニット。
条件（１）
前記ヘッド固定部材接着面と前記面取り部との境界部には、当該境界部に沿って、当該ヘッド固定部材接着面から反対側に向けて一段窪んだ段部が設けられている。
条件（２）
前記ヘッド固定部材は、前記仲介部材接着面が設けられたヘッド取付部を有し、
当該ヘッド取付部よりも外側には、前記仲介部材接着面から反対側に窪ませて形成された接着剤受部が設けられ、
前記ヘッド取付部は、前記ヘッド固定部材接着面に対して突出した島状に形成されている。
条件（３）
前記仲介部材は、前記仲介部材と前記ヘッド固定部材とを締結する締結部材が挿通される挿通穴を有し、当該挿通穴における前記ヘッド固定部剤接着面側の開口周縁に座繰が設けられている。
【請求項２】
請求項１に記載の液体噴射ヘッドユニットを備えることを特徴とする液体噴射装置。
【請求項３】
液体を噴射するノズルを複数列設して成るノズル列が形成されたノズル形成面を有する液体噴射ヘッドと、前記液体噴射ヘッドが仲介部材を介在させた状態で固定されるヘッド固定部材と、を備えた液体噴射ヘッドユニットを搭載した液体噴射装置の製造方法であって、
前記液体噴射ヘッドにおける仲介部材固定部に、前記仲介部材を固定する仲介部材固定工程と、
前記仲介部材のヘッド固定部材接着面を、前記ヘッド固定部材の仲介部材接着面に対して接着剤によって接着固定する接着工程と、を含み、
前記ヘッド固定部材接着面の外周縁の少なくとも一部には、当該ヘッド固定部材接着面の内側から外側に向かうにつれて前記仲介部材接着面に対して離間する面取り部が、当該外周縁に沿って設けられており、
前記液体噴射ヘッドユニットは、下記条件（１）〜（３）のうち、少なくとも１つ以上の条件を満たすことを特徴とする液体噴射装置の製造方法。
条件（１）
前記ヘッド固定部材接着面と前記面取り部との境界部には、当該境界部に沿って、当該ヘッド固定部材接着面から反対側に向けて一段窪んだ段部が設けられている。
条件（２）
前記ヘッド固定部材は、前記仲介部材接着面が設けられたヘッド取付部を有し、
当該ヘッド取付部よりも外側には、前記仲介部材接着面から反対側に窪ませて形成された接着剤受部が設けられ、
前記ヘッド取付部は、前記ヘッド固定部材接着面に対して突出した島状に形成されている。
条件（３）
前記仲介部材は、前記仲介部材と前記ヘッド固定部材とを締結する締結部材が挿通される挿通穴を有し、当該挿通穴における前記ヘッド固定部剤接着面側の開口周縁に座繰が設けられている。
【発明の詳細な説明】
【技術分野】
【０００１】
本発明は、インクジェット式記録装置などの液体噴射装置に用いられる液体噴射ヘッドユニット、液体噴射装置、及び、液体噴射装置の製造方法に関し、特に、ヘッド固定部材に対して複数の液体噴射ヘッドを着脱可能に取り付けることが可能な液体噴射ヘッドユニット、液体噴射装置、及び、液体噴射装置の製造方法に関するものである。
【背景技術】
【０００２】
液体噴射装置は、液体を液滴として噴射可能な液体噴射ヘッドを備え、この液体噴射ヘッドから各種の液体を噴射する装置である。この液体噴射装置の代表的なものとして、例えば、インクジェット式記録ヘッド（以下、記録ヘッドという）を備え、この記録ヘッドのノズルから液体状のインクをインク滴として噴射させて記録を行うインクジェット式記録装置（プリンター）等の画像記録装置を挙げることができる。また、近年においては、この画像記録装置に限らず、ディスプレイ製造装置などの各種の製造装置にも応用されている。そして、画像記録装置用の記録ヘッドでは液状のインクを噴射し、ディスプレイ製造装置用の色材噴射ヘッドではＲ（Red）・Ｇ（Green）・Ｂ（Blue）の各色材の溶液を噴射する。また、電極形成装置用の電極材噴射ヘッドでは液状の電極材料を噴射し、チップ製造装置用の生体有機物噴射ヘッドでは生体有機物の溶液を噴射する。
【０００３】
近年、上記プリンターには、ノズルを複数列設してなるノズル列を有する記録ヘッドをサブキャリッジなどのヘッド固定部材に複数並べて固定したものを１つのヘッドユニットとする構成（マルチヘッド型）を採用するものがある。そして、サブキャリッジに対して各記録ヘッドが位置決めされた状態でネジ留めされる構成においては、位置決めの後、ネジ留めの前に、記録ヘッドをサブキャリッジに対して接着剤（例えば、瞬間接着剤）によって仮留することが行われている。これにより、ネジ留めにより本固定するときにネジ留め時の回転モーメントにより記録ヘッドの位置がずれることが防止される。このような接着剤による仮留を採用する場合、一旦サブキャリッジに固定された記録ヘッドを修理或いは交換するために取り外すことが困難となる。このような問題に対し、記録ヘッドとサブキャリッジの間にスペーサーと呼ばれる仲介部材を介在させる構成も提案されている（例えば、特許文献１）。この構成によれば、記録ヘッドにスペーサーをネジ留めにより予め固定しておき、スペーサーとサブキャリッジとの間を接着剤で仮留してからスペーサーとサブキャリッジとをネジ留めにより本固定することで、サブキャリッジに一旦固定された記録ヘッドは、スペーサーとの間のネジの締結を解除することにより、スペーサー及びサブキャリッジから取り外すことができる。これにより、記録ヘッドの交換や修理等による記録ヘッドの着脱が容易になる。
【先行技術文献】
【特許文献】
【０００４】
【特許文献１】特開２００７−９０３２７号公報
【発明の概要】
【発明が解決しようとする課題】
【０００５】
ところで、スペーサーとサブキャリッジとを接着剤によって仮留めする際に、接着剤の充填量がばらつくことがある。隣り合う液体噴射ヘッド同士の間隔を狭めることによって、小型化されたヘッドユニットにおいて、接着剤の量が不足した場合、スペーサーとサブキャリッジとの接着力が低下して、液体噴射ヘッドの位置精度が低下することがあった。特に、ヘッドユニットにおけるノズルの相対位置がずれてしまった場合には、ノズルから噴射される液体の記録媒体等に対する着弾位置が望ましい位置からずれてしまう可能性がある。その結果、例えば記録媒体に記録された画像の画質が低下する虞があった。
【０００６】
また、接着剤の量が過剰であった場合、余剰分の接着剤が液体噴射ヘッドの接着面（取り付け位置）から溢れて、意図しない位置に接着剤が付着して固化する虞があった。例えば、隣り合う液体噴射ヘッドに対応する接着面に流れ込むことがあり、この接着面に対する液体噴射ヘッドの接着前に、流れ込んだ接着剤が固着することがあった。これにより、隣り合う液体噴射ヘッドに対応する接着面に、固着した接着剤の凹凸が形成され、この接着面に接着される液体噴射ヘッドの位置精度が低下することがあった。
【０００７】
なお、このような問題は、インクを噴射する記録ヘッドを搭載したインクジェット式記録装置だけではなく、上記サブキャリッジのようなヘッド固定部材に対してスペーサー等の仲介部材を介在させて液体噴射ヘッドを固定する構成を採用する、他の液体噴射ヘッドユニット、及びこれを備える液体噴射装置においても同様に存在する。
【０００８】
本発明は、このような事情に鑑みてなされたものであり、その目的は、ヘッド固定部材に対して仲介部材を介在させた状態で液体噴射ヘッドを位置精度良く取り付けることが可能な液体噴射ヘッドユニット、液体噴射装置、及び、液体噴射装置の製造方法を提供することにある。
【課題を解決するための手段】
【０００９】
（構成１）
上記目的を達成するため、本発明は、液体を噴射するノズルを複数列設して成るノズル列が形成されたノズル形成面を有する液体噴射ヘッドと、
前記液体噴射ヘッドが仲介部材を介在させた状態で固定されるヘッド固定部材と、を備えた液体噴射ヘッドユニットであって、
前記液体噴射ヘッドは、前記仲介部材が固定される仲介部材固定部を有し、
前記仲介部材は、前記ヘッド固定部材の仲介部材接着面に対して接着剤によって接着固定されるヘッド固定部材接着面を有し、
前記ヘッド固定部材接着面の外周縁の少なくとも一部には、当該ヘッド固定部材接着面の内側から外側に向かうにつれて前記仲介部材接着面に対して離間する面取り部が、当該外周縁に沿って設けられており、
下記条件（１）〜（３）のうち、少なくとも１つ以上の条件を満たすことを特徴とする。
条件（１）
前記ヘッド固定部材接着面と前記面取り部との境界部には、当該境界部に沿って、当該ヘッド固定部材接着面から反対側に向けて一段窪んだ段部が設けられている。
条件（２）
前記ヘッド固定部材は、前記仲介部材接着面が設けられたヘッド取付部を有し、
当該ヘッド取付部よりも外側には、前記仲介部材接着面から反対側に窪ませて形成された接着剤受部が設けられ、
前記ヘッド取付部は、前記ヘッド固定部材接着面に対して突出した島状に形成されている。
条件（３）
前記仲介部材は、前記仲介部材と前記ヘッド固定部材とを締結する締結部材が挿通される挿通穴を有し、当該挿通穴における前記ヘッド固定部剤接着面側の開口周縁に座繰が設けられている。
上記（構成１）によれば、液体噴射ヘッドは、仲介部材が固定される仲介部材固定部を有し、仲介部材は、ヘッド固定部材の仲介部材接着面に対して接着剤によって接着固定されるヘッド固定部材接着面を有し、ヘッド固定部材接着面の外周縁の少なくとも一部には、ヘッド固定部材接着面の内側から外側に向かうにつれて仲介部材接着面に対して離間する面取り部が、外周縁に沿って設けられているので、当該面取り部から注入された接着剤を、毛管力によって仲介部材のヘッド固定部材接着面と仲介部材接着面との間に向けて誘導して、両者の間の間隙に行き渡らせることができ、且つ、面取り部を、接着剤を溜めるバッファとして機能させることができる。これにより、仲介部材の外周縁から外側に接着剤が溢れ出すことを抑制することができると共に、仲介部材の外周縁に沿って接着剤を回り込み易くすることができる。この結果、ヘッド固定部材と仲介部材との接着性が向上し、液体噴射ヘッドの取り付け位置精度を高めることができる。
さらに、条件（１）によれば、ヘッド固定部材接着面と面取り部との境界部には、境界部に沿って、ヘッド固定部材接着面から反対側に向けて一段窪んだ段部が設けられているので、毛管力によって接着剤が段部に誘導され、ヘッド固定部材接着面と面取り部との境界部、即ちヘッド固定部材接着面の外周縁に沿って毛管力によって接着剤をさらに回り込み易くすることができる。また、この段部を、接着剤を溜めるバッファとしても機能させることができる。
また、条件（２）によれば、ヘッド固定部材は、仲介部材接着面が設けられたヘッド取付部を有し、ヘッド取付部よりも外側には、仲介部材接着面から反対側に窪ませて形成された接着剤受部が設けられ、ヘッド取付部は、ヘッド固定部材接着面に対して突出した島状に形成されているので、仲介部材接着面の形状・寸法精度を高めることができ、仲介部材接着面に接着固定される仲介部材の取り付け位置精度を向上させることができる。また、ヘッド取付部における仲介部材接着面から外側に接着剤が万一溢れ出したとしても、溢れ出した接着剤を接着剤受部に捕捉することができる。これにより、ヘッド固定部材に液体噴射ヘッドを複数並べて配置した場合に、溢れ出した接着剤が隣り合う液体噴射ヘッドに対応する仲介部材接着面まで流れ込むことを抑制することができる。
あるいは、条件（３）によれば、仲介部材は、仲介部材とヘッド固定部材とを締結する締結部材が挿通される挿通穴を有し、挿通穴におけるヘッド固定部剤接着面側の開口周縁に座繰が設けられているので、接着面から挿通穴内に接着剤が流れ込んだとしても、流れ込んだ接着剤を座繰内に溜めることができる。これにより、接着剤が挿通穴内におけるヘッド固定部剤接着面側からその反対側の液体噴射ヘッド側に向かって這い上がることを防止することができる。この結果、溢れ出した接着剤が液体噴射ヘッドに付着する不都合を防止することができる。
（構成２）
また、本発明の液体噴射装置は、上記各構成の液体噴射ヘッドユニットを備えることを特徴とする。
この（構成２）によれば、液体噴射ヘッドにおけるノズルの位置精度が向上し、着弾対象に対する液体の着弾位置精度を向上させることができる。
（構成３）
また、本発明は、液体を噴射するノズルを複数列設して成るノズル列が形成されたノズル形成面を有する液体噴射ヘッドと、前記液体噴射ヘッドが仲介部材を介在させた状態で固定されるヘッド固定部材と、を備えた液体噴射ヘッドユニットを搭載した液体噴射装置の製造方法であって、
前記液体噴射ヘッドにおける仲介部材固定部に、前記仲介部材を固定する仲介部材固定工程と、
前記仲介部材のヘッド固定部材接着面を、前記ヘッド固定部材の仲介部材接着面に対して接着剤によって接着固定する接着工程と、を含み、
前記ヘッド固定部材接着面の外周縁の少なくとも一部には、当該ヘッド固定部材接着面の内側から外側に向かうにつれて前記仲介部材接着面に対して離間する面取り部が、当該外周縁に沿って設けられており、
前記液体噴射ヘッドユニットは、下記条件（１）〜（３）のうち、少なくとも１つ以上の条件を満たすことを特徴とする液体噴射装置の製造方法。
条件（１）
前記ヘッド固定部材接着面と前記面取り部との境界部には、当該境界部に沿って、当該ヘッド固定部材接着面から反対側に向けて一段窪んだ段部が設けられている。
条件（２）
前記ヘッド固定部材は、前記仲介部材接着面が設けられたヘッド取付部を有し、
当該ヘッド取付部よりも外側には、前記仲介部材接着面から反対側に窪ませて形成された接着剤受部が設けられ、
前記ヘッド取付部は、前記ヘッド固定部材接着面に対して突出した島状に形成されている。
条件（３）
前記仲介部材は、前記仲介部材と前記ヘッド固定部材とを締結する締結部材が挿通される挿通穴を有し、当該挿通穴における前記ヘッド固定部剤接着面側の開口周縁に座繰が設けられている。
その他の構成として、上記目的を達成するため、本発明は、液体を噴射するノズルを複数列設して成るノズル列が形成されたノズル形成面を有する液体噴射ヘッドと、
前記液体噴射ヘッドが仲介部材を介在させた状態で固定されるヘッド固定部材と、を備えた液体噴射ヘッドユニットであって、
前記液体噴射ヘッドは、前記仲介部材が固定される仲介部材固定部を有し、
前記仲介部材は、前記ヘッド固定部材の仲介部材接着面に対して接着剤によって接着固定されるヘッド固定部材接着面を有し、
前記ヘッド固定部材接着面の外周縁の少なくとも一部には、当該ヘッド固定部材接着面の内側から外側に向かうにつれて前記仲介部材接着面に対して離間する面取り部が、当該外周縁に沿って設けられていることを特徴とする。
なお、本明細書において「面取り」とは、面と面との交わりのかどに斜面または丸みがつけられていることを意味する。
【００１０】
上記構成によれば、液体噴射ヘッドは、仲介部材が固定される仲介部材固定部を有し、仲介部材は、ヘッド固定部材の仲介部材接着面に対して接着剤によって接着固定されるヘッド固定部材接着面を有し、ヘッド固定部材接着面の外周縁の少なくとも一部には、ヘッド固定部材接着面の内側から外側に向かうにつれて仲介部材接着面に対して離間する面取り部が、外周縁に沿って設けられているので、当該面取り部から注入された接着剤を、毛管力によって仲介部材のヘッド固定部材接着面と仲介部材接着面との間に向けて誘導して、両者の間の間隙に行き渡らせることができ、且つ、面取り部を、接着剤を溜めるバッファとして機能させることができる。これにより、仲介部材の外周縁から外側に接着剤が溢れ出すことを抑制することができると共に、仲介部材の外周縁に沿って接着剤を回り込み易くすることができる。この結果、ヘッド固定部材と仲介部材との接着性が向上し、液体噴射ヘッドの取り付け位置精度を高めることができる。
【００１１】
上記構成において、前記ヘッド固定部材接着面と前記面取り部との境界部には、当該境界部に沿って、当該ヘッド固定部材接着面から反対側に向けて一段窪んだ段部が設けられている構成を採用することが望ましい。
【００１２】
上記構成によれば、ヘッド固定部材接着面と面取り部との境界部には、境界部に沿って、ヘッド固定部材接着面から反対側に向けて一段窪んだ段部が設けられているので、毛管力によって接着剤が段部に誘導され、ヘッド固定部材接着面と面取り部との境界部、即ちヘッド固定部材接着面の外周縁に沿って毛管力によって接着剤をさらに回り込み易くすることができる。また、この段部を、接着剤を溜めるバッファとしても機能させることができる。
【００１３】
上記構成において、前記ヘッド固定部材は、前記仲介部材接着面が設けられたヘッド取付部を有し、当該ヘッド取付部よりも外側には、前記仲介部材接着面から反対側に窪ませて形成された接着剤受部が設けられ、
前記ヘッド取付部は、前記ヘッド固定部材接着面に対して突出した島状に形成されている構成を採用することが望ましい。
【００１４】
上記構成によれば、ヘッド固定部材は、仲介部材接着面が設けられたヘッド取付部を有し、ヘッド取付部よりも外側には、仲介部材接着面から反対側に窪ませて形成された接着剤受部が設けられ、ヘッド取付部は、ヘッド固定部材接着面に対して突出した島状に形成されているので、仲介部材接着面の形状・寸法精度を高めることができ、仲介部材接着面に接着固定される仲介部材の取り付け位置精度を向上させることができる。また、ヘッド取付部における仲介部材接着面から外側に接着剤が万一溢れ出したとしても、溢れ出した接着剤を接着剤受部に捕捉することができる。これにより、ヘッド固定部材に液体噴射ヘッドを複数並べて配置した場合に、溢れ出した接着剤が隣り合う液体噴射ヘッドに対応する仲介部材接着面まで流れ込むことを抑制することができる。
【００１５】
上記構成において、前記仲介部材は、前記仲介部材と前記ヘッド固定部材とを締結する締結部材が挿通される挿通穴を有し、当該挿通穴における前記ヘッド固定部剤接着面側の開口周縁に座繰が設けられている構成を採用することが望ましい。
【００１６】
上記構成によれば、仲介部材は、仲介部材とヘッド固定部材とを締結する締結部材が挿通される挿通穴を有し、挿通穴におけるヘッド固定部剤接着面側の開口周縁に座繰が設けられているので、接着面から挿通穴内に接着剤が流れ込んだとしても、流れ込んだ接着剤を座繰内に溜めることができる。これにより、接着剤が挿通穴内におけるヘッド固定部剤接着面側からその反対側の液体噴射ヘッド側に向かって這い上がることを防止することができる。この結果、溢れ出した接着剤が液体噴射ヘッドに付着する不都合を防止することができる。
【００１７】
また、本発明の液体噴射装置は、上記各構成の液体噴射ヘッドユニットを備えることを特徴とする。
この構成によれば、液体噴射ヘッドにおけるノズルの位置精度が向上し、着弾対象に対する液体の着弾位置精度を向上させることができる。
【００１８】
また、本発明は、液体を噴射するノズルを複数列設して成るノズル列が形成されたノズル形成面を有する液体噴射ヘッドと、前記液体噴射ヘッドが仲介部材を介在させた状態で固定されるヘッド固定部材と、を備えた液体噴射ヘッドユニットを搭載した液体噴射装置の製造方法であって、
前記液体噴射ヘッドにおける仲介部材固定部に、前記仲介部材を固定する仲介部材固定工程と、
前記仲介部材のヘッド固定部材接着面を、前記ヘッド固定部材の仲介部材接着面に対して接着剤によって接着固定する接着工程と、を含み、
前記ヘッド固定部材接着面の外周縁の少なくとも一部には、当該ヘッド固定部材接着面の内側から外側に向かうにつれて前記仲介部材接着面に対して離間する面取り部が、当該外周縁に沿って設けられていることを特徴とする。
【図面の簡単な説明】
【００１９】
【図１】プリンターの内部構成の一部を示す斜視図である。
【図２】プリンターの内部構成の一部を示す平面図である。
【図３】キャリッジの上面図である。
【図４】キャリッジの右側面図である。
【図５】キャリッジの下面図である。
【図６】図３におけるＡ−Ａ線断面図である。
【図７】ヘッドユニットの斜視図である。
【図８】ヘッドユニットの上面図である。
【図９】ヘッドユニットの正面図である。
【図１０】ヘッドユニットの下面図である。
【図１１】ヘッドユニットの下面側の斜視図である。
【図１２】サブキャリッジの構成を説明する下面図である。
【図１３】記録ヘッドの構成を説明する斜視図である。
【図１４】記録ヘッドの構成を説明する上面図である。
【図１５】記録ヘッドの構成を説明する下面図である。
【図１６】記録ヘッドの構成を説明する正面図である。
【図１７】記録ヘッドの構成を説明する右側面図である。
【図１８】（ａ）は図１４における領域Ａの拡大図、（ｂ）は図１４における領域Ｂの拡大図である。
【図１９】図１６における領域Ｃの拡大図である。
【図２０】図１７における領域Ｄの拡大図である。
【図２１】図１７における領域Ｅの拡大図である。
【図２２】スペーサーの構成を説明する斜視図である。
【図２３】スペーサーの構成を説明する上面図である。
【図２４】（ａ）はスペーサーの構成を説明する正面図、（ｂ）は（ａ）における領域Ａの拡大図であり、（ｃ）は（ａ）における領域Ｂの拡大図である。
【図２５】（ａ）はスペーサーの構成を説明する右側面図、（ｂ）は（ａ）における領域Ｃの拡大図である。
【図２６】スペーサーの構成を説明する下面図である。
【図２７】フランジ部におけるスペーサー固定部分の拡大図である。
【図２８】図２７におけるＡ−Ａ線断面図である。
【図２９】他の実施形態におけるスペーサーの構成を説明する下面図である。
【図３０】フランジ部におけるスペーサー固定部分の拡大断面図である。
【発明を実施するための形態】
【００２０】
以下、本発明を実施するための形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。また、以下においては、本発明の液体噴射装置として、インクジェット式記録装置（以下、プリンター）を例に挙げて説明する。
【００２１】
図１はプリンター１の内部構成の一部を示す斜視図、図２はプリンター１の平面図である。例示したプリンター１は、記録用紙、布、フィルム等の記録媒体（着弾対象）に向けて、液体の一種であるインクを噴射する。このプリンター１は、フレーム２の内部にキャリッジ３（ヘッドユニット保持部材の一種）を、記録媒体の送り方向に交差する方向である主走査方向に往復移動可能に搭載している。プリンター１の背面側のフレーム２の内壁には、当該フレーム２の長手方向に沿って長尺な上下一対のガイドロッド４ａ，４ｂが互いに間隔を空けて平行に取り付けられている。キャリッジ３は、その背面側に設けられた軸受け部７（図４参照）等にガイドロッド４ａ，４ｂが嵌合することで、これらのガイドロッド４ａ，４ｂに対して摺動可能に支持されている。
【００２２】
フレーム２の背面側であって主走査方向の一端側（図２における右端部）には、キャリッジ３を移動させるための駆動源としてのキャリッジモーター８が配設されている。このキャリッジモーター８の駆動軸は、フレーム２の背面側から内面側に突出しており、その先端部分には、駆動プーリー（図示せず）が接続されている。この駆動プーリーは、キャリッジモーター８の駆動により回転される。また、この駆動プーリーに対して主走査方向における反対側（図２における左端部）の位置には、遊転プーリー（図示せず）が設けられている。これらのプーリーには、タイミングベルト９が架け渡されている。このタイミングベルト９には、キャリッジ３が接続されている。そして、キャリッジモーター８が駆動されると、駆動プーリーの回転に伴ってタイミングベルト９が回動し、キャリッジ３がガイドロッド４ａ，４ｂに沿って主走査方向に移動する。
【００２３】
フレーム２の背面の内壁には、リニアスケール１０（エンコーダーフィルム）が、主走査方向に沿ってガイドロッド４ａ，４ｂと平行に張設されている。リニアスケール１０は、透明な樹脂製フィルムによって作製された帯状（バンド状）部材であり、例えば、透明なベースフィルムの表面に帯幅方向を横断する不透明なストライプが複数印刷されたものである。各ストライプは、同じ幅とされ、帯長手方向に一定ピッチで形成されている。また、キャリッジ３の背面側には、このリニアスケール１０のストライプを光学的に読み取るためのリニアエンコーダーが設けられている（図示せず）。このリニアエンコーダーは位置情報出力手段の一種であり、キャリッジ３の走査位置に応じたエンコーダーパルスを、主走査方向における位置情報として出力する。これにより、プリンターの制御部（図示せず）は、エンコーダーパルスに基づいてキャリッジ３の走査位置を認識しながら、ヘッドユニット１７による記録媒体に対する記録動作を制御することができる。そして、プリンター１は、主走査方向の一端側のホームポジションから反対側の端部（フルポジション）へ向けてキャリッジ３が移動する往動時と、フルポジションからホームポジション側にキャリッジ３が戻る復動時との双方向で記録紙上に文字や画像等を記録する所謂双方向記録処理が可能に構成されている。
【００２４】
図２に示すように、キャリッジ３には、ヘッドユニット１７の各記録ヘッド１８に各色のインクを供給するためのインク供給チューブ１４と、駆動信号等の信号を供給するための信号ケーブル１５が接続されている。その他、プリンター１には、図示しないが、インクを貯留したインクカートリッジ（液体供給源）が着脱可能に取り付けられるカートリッジ装着部、記録紙を搬送する搬送部、待機状態の記録ヘッド１８のノズル形成面５３（図１３参照）をキャッピングするキャッピング部等が設けられている。
【００２５】
図３はキャリッジ３の平面（上面）図、図４はキャリッジ３の右側面図、図５はキャリッジ３の底面（下面）図である。また、図６は図３におけるＡ−Ａ線断面図である。なお、図３は、キャリッジカバー１３が外された状態を図示している。キャリッジ３は、後述するヘッドユニット１７（本発明における液体噴射ヘッドユニットの一種。）を内部に搭載するキャリッジ本体１２と、このキャリッジ本体１２の上部開口を塞ぐキャリッジカバー１３とから成り、上下に分割可能な中空箱体状の部材である。キャリッジ本体１２は、略矩形状の底板部１２ａ（図５参照）と、当該底板部１２ａの四方の外周縁からそれぞれ上方に起立した側壁部１２ｂ（図４参照）とから成り、これらの底板部１２ａ及び側壁部１２ｂに囲まれた空間内にヘッドユニット１７を収容する。底板部１２ａには、収容されたヘッドユニット１７の各記録ヘッド１８のノズル形成面５３を露出させるための底部開口１９が開設されている。そして、ヘッドユニット１７をキャリッジ本体１２内に収容した状態では、底板部１２ａの底部開口１９から各記録ヘッド１８のノズル形成面５３が、キャリッジ本体１２の底部よりも下方（記録動作時における記録媒体側）に突出する。
【００２６】
図７はヘッドユニット１７の斜視図であり、（ａ）は流路部材２４が取り付けられた状態、（ｂ）は流路部材２４が外された状態をそれぞれ示している。また、図８はヘッドユニット１７の上面図、図９はヘッドユニット１７の正面図（流路部材２４が外された状態）、図１０はヘッドユニット１７の下面図、図１１はヘッドユニット１７の下面側の斜視図である。さらに、図１２は記録ヘッド１８が取り付けられるサブキャリッジ２６の下面図である。
【００２７】
ヘッドユニット１７は、複数の記録ヘッド１８等をユニット化したものであり、これらの記録ヘッド１８が取り付けられるサブキャリッジ２６（本発明におけるヘッド固定部材の一種）と、流路部材２４と、を備えている。サブキャリッジ２６は、記録ヘッド１８が固定される板状のベース部２６ａと、このベース部２６ａの四方の外周縁からそれぞれ上方に起立した起立壁部２６ｂと、から上面が開口した中空箱体状に形成されている。これらのベース部２６ａと四方の起立壁部２６ｂとから囲まれた空間が、記録ヘッド１８の少なくとも一部（主にサブタンク３７）を収容する収容部として機能する。本実施形態のサブキャリッジ２６は、金属、例えばアルミニウムにより作製されており、キャリッジ本体１２やキャリッジカバー１３と比較して剛性が高められている。なお、サブキャリッジ２６の材料としては、金属には限られず、合成樹脂を採用することも可能である。
【００２８】
サブキャリッジ２６のベース部２６ａの略中央部分には、複数の記録ヘッド１８を挿通可能な（即ち、各記録ヘッド１８に共通な１つの）ヘッド挿通開口２８が開設されている。このためベース部２６ａは、四方の辺部から成る額縁状の枠体となっている。このベース部２６ａの下面（記録時の記録媒体に対向する側の面）には、各記録ヘッド１８の取り付け位置に対応して、ヘッド取付部４０が複数横並びに設けられている（図１２参照）。本実施形態において、ヘッド取付部４０は、１つの記録ヘッド１８の取り付け位置に対して、ヘッド挿通開口２８を間に挟んでノズル列方向に対応する方向（ヘッド列設方向に直交する方向）の両側の辺部に、後述するスペーサー３２に対応してそれぞれ１つずつ、合計２箇所設けられている。
【００２９】
ヘッド取付部４０は、平面視において後述するスペーサー３２（図２３等参照。）の外周形状の一部に倣ったベース状に形成されており、その下面（記録時の記録媒体に対向する側の面）は、スペーサー３２のベース面６５に対する仮固定工程において接着剤によって接着固定されるスペーサー接着面４１（本発明における仲介部材接着面の一種）として機能する。このため、一対のヘッド取付部４０におけるスペーサー接着面４１の形状および寸法に関して、より高い精度が要求される。特に、このスペーサー接着面４１は、必要なネジ穴（止着穴２９およびボルト収容部４４等）以外に凹凸が無く平面度が確保されていることが望ましい。
また、サブキャリッジ２６におけるベース部２６ａの下面におけるヘッド取付部４０よりも外側には、スペーサー接着面４１から反対側（図１２において紙面の奥向き）に窪ませて形成された接着剤受部４２が設けられている。即ち、ヘッド取付部４０は、その両側に設けられた接着剤受部４２によって独立した島状に形成されており、ベース部２６ａから下方（記録動作時における記録媒体側であって、スペーサー接着面４１に接着固定されるスペーサー３２のベース面６５側）に向けて突出している。このように、ヘッド取付部４０は、スペーサー３２のベース面６５に対して突出した島状に形成されているので、サブキャリッジ２６の製造時において、当該ヘッド取付部４０（スペーサー接着面４１）の形状・寸法を重点的に管理することで、当該ヘッド取付部４０に取り付けられる記録ヘッド１８の位置精度を高めることができる。また、接着剤受部４１は、ヘッド取付部４０におけるスペーサー接着面４１から外側に向かって溢れ出した接着剤を捕捉する機能を有する。
【００３０】
これらの各ヘッド取付部４０には、止着穴２９が開設されている（図１２，２８参照）。本実施形態において、止着穴２９は、ヘッド取付部４０におけるノズル列方向に直交する方向（ヘッド列設方向）に横並びに、後述するスペーサー３２のサブキャリッジ用挿通穴６９に対応してそれぞれ２つずつ設けられている。また、各ヘッド取付部４０には、両止着穴２９の間であってヘッド挿通開口２８側に、後述する記録ヘッド１８におけるフランジ部４７のスペーサー取付穴５４及びスペーサー３２のヘッド用挿通穴６８に対応してボルト収容部４４が設けられている。ボルト収容部４４は、スペーサー接着面４１からヘッド取付部４０の厚さ方向の途中まで窪んで形成されており、スペーサー取付穴５４側から当該スペーサー取付穴５４及びヘッド用挿通穴６８に挿入されてヘッド用挿通穴６８を貫通したスペーサー固定ボルト２７ａの軸部の先端部分を収容する。
【００３１】
本実施形態においては、図１０に示すように、第１の記録ヘッド１８ａ、第２の記録ヘッド１８ｂ、第３の記録ヘッド１８ｃ、第４の記録ヘッド１８ｄ、及び第５の記録ヘッド１８ｅの合計５つの記録ヘッド１８が、後述するサブタンク３７をヘッド挿通開口２８の下方から挿通させて収容部内に収容し、且つ、ベース部２６ａとの間にそれぞれスペーサー３２を介在させた状態で、ノズル列に直交する方向に横並びで、ベース部２６ａにそれぞれ固定される。
【００３２】
図７，８等に示すように、サブキャリッジ２６の四方の起立壁部２６ｂのうちの３つには、側方に向けてフランジ部３０が突設されている。フランジ部３０には、キャリッジ本体１２の底板部１２ａのヘッドユニット１７の取り付け位置に開設された図示しない３箇所の取り付けネジ穴に対応して、挿通穴３１がそれぞれ開設されている。そして、キャリッジ本体１２の底板部１２ａの各取り付けネジ穴に、それぞれ対応する挿通穴３１の位置を合わせた状態で、ヘッドユニット固定ネジ２２を、挿通穴３１を通じて取り付けネジ穴に止着することで、キャリッジ本体１２内部にヘッドユニット１７が収容・固定される。また、サブキャリッジ２６の四方の起立壁部２６ｂの上端面には、流路部材２４を固定するための固定ネジ穴３３が合計４箇所設けられている。
【００３３】
流路部材２４は、上下方向が薄い箱体状の部材であり、例えば、合成樹脂により作製される。この流路部材２４の内部には、各記録ヘッド１８のサブタンク３７（後述）の流路接続部３８にそれぞれ対応した各色のインク分配流路（図示せず）が区画形成されている。この流路部材２４の上面（サブキャリッジ２６に固定される側の面とは反対側の面）には、チューブ接続部３４が設けられている。図８に示すように、このチューブ接続部３４の内部には、各色のインクに対応した導入口３９が複数設けられている。各導入口３９は、それぞれ対応する色のインク分配流路に連通している。そして、チューブ接続部３４に上記のインク供給チューブ１４が接続されると、インク供給チューブ１４内の各色のインク供給路と、それぞれ対応する導入口３９とが液密状態で連通する。これにより、インクカートリッジ側からインク供給チューブ１４を通じて送られてきた各色のインクが、導入口３９を通じて流路部材２４内のインク分配流路にそれぞれ導入される。また、流路部材２４の下面において各記録ヘッド１８のサブタンク３７の流路接続部３８に対応する位置には図示しない接続流路が設けられている。各接続流路は、各記録ヘッド１８のサブタンク３７の流路接続部３８にそれぞれ挿入されて液密状態で連結されるように構成されている。さらに、流路部材２４の四隅には、サブキャリッジ２６の固定ネジ穴３３に対応する流路挿通穴（図示せず）が、それぞれ板厚方向を貫通した状態で形成されている。流路部材２４がサブキャリッジ２６に固定される際に、流路止着ネジ４５が流路挿通穴を通じて固定ネジ穴３３に止着（螺合）される。そして、流路部材２４内部のインク分配流路を通ったインクは、接続流路と流路接続部３８を介して各記録ヘッド１８のサブタンク３７に供給される。
【００３４】
図１３は記録ヘッド１８（液体噴射ヘッドの一種）の構成を説明する斜視図である。図１４は記録ヘッド１８の上面図であり、（ａ）はスペーサー３２が取り付けられていない状態、（ｂ）はスペーサー３２が取り付けられた状態を示している。図１５は記録ヘッド１８の下面図であり、（ａ）はスペーサー３２が取り付けられていない状態、（ｂ）はスペーサー３２が取り付けられた状態を示している。図１６は記録ヘッド１８の正面図であり、（ａ）はスペーサー３２が取り付けられていない状態、（ｂ）はスペーサー３２が取り付けられた状態を示している。図１７は記録ヘッド１８の右側面図であり、（ａ）はスペーサー３２が取り付けられていない状態、（ｂ）はスペーサー３２が取り付けられた状態を示している。
また、図１８（ａ）は図１４における領域Ａの拡大図、図１８（ｂ）は図１４における領域Ｂの拡大図である。図１９は図１６における領域Ｃの拡大図であり、図２０は図１７における領域Ｄの拡大図である。そして、図２１は図１７における領域Ｅの拡大図である。なお、基本的な構造等は各記録ヘッド１８で共通であるため、サブキャリッジ２６に取り付けられる５つの記録ヘッド１８のうちの１つを代表として示している。
【００３５】
記録ヘッド１８は、ノズル５１に連通する圧力室を含むインク流路を形成する流路ユニットや、圧力室内のインクに圧力変動を生じさせる圧電振動子或いは発熱素子などの圧力発生手段（何れも図示せず）をヘッドケース５２に備えている。本実施形態における記録ヘッド１８は、平面視においてノズル列方向に長尺である一方、ノズル列に直交する幅方向に短尺な形状に形成されている。そして、この記録ヘッド１８は、プリンター１の制御部側からの駆動信号を圧力発生手段に印加して圧力発生手段を駆動することにより、ノズル５１からインクを噴射して記録紙等の記録媒体に着弾させる記録動作を行うように構成されている。各記録ヘッド１８のノズル形成面５３には、インクを噴射するノズル５１が複数列設されてノズル列５６（ノズル群）が構成され、このノズル列５６がノズル列に直交する方向に２列並べて形成されている。１つのノズル列５６は、例えば３６０ｄｐｉのピッチで開設された３６０個のノズルから成る。
【００３６】
ヘッドケース５２は、中空箱体状部材であり、その先端側には、ノズル形成面５３を露出させた状態で流路ユニットが固定されている。また、ヘッドケース５２の内部に形成された収容空部内には圧力発生手段などを収容し、先端面とは反対側の基端面側（上面側）には、流路ユニット側にインクを供給するためのサブタンク３７が装着されている。また、ヘッドケース５２の上面側におけるノズル列方向の両側には、側方に向けて突出したフランジ部５７（本発明における仲介部材固定部に相当）がそれぞれ形成されている。このフランジ部５７には、図１８に示すように、スペーサー３２のヘッド用挿通穴６８に対応して、スペーサー取付穴５４がそれぞれ開設されている。両側のフランジ部５７にスペーサー３２をそれぞれ取り付ける際に、このスペーサー取付穴５４にスペーサー固定ボルト２７ａの軸部が挿通される。
【００３７】
このスペーサー取付穴５４は、フランジ部５７において、両側のフランジ部５７の並び方向に直交する方向（スペーサー３２との締結箇所同士の並び方向またはノズル列に直交する方向）であるフランジ幅方向の中央部に、フランジ部５７の厚さ方向を貫通した状態で形成されている。両側のフランジ部５７のスペーサー取付穴５４のうちの一方（図１４（ａ）における左側）のスペーサー取付穴５４は、図１８（ａ）に示すように平面視において丸穴形状の貫通穴であり、その内径はスペーサー固定ボルト２７ａの軸部の外径よりも僅かに大きく設定されている。これにより、この一方のスペーサー取付穴５４は、スペーサー固定ボルト２７ａの軸部を円滑に挿通することが可能であり、尚かつ、両者の間にガタツキが生じ難いように構成されている。これに対し、他方（図１４（ａ）における右側）のスペーサー取付穴５４は、図１８（ｂ）に示すように平面視において各スペーサー取付穴５４の並び方向（ノズル列方向）に長尺な長穴となっている。この他方のスペーサー取付穴５４の取付穴並び方向の内径（長径）はスペーサー固定ボルト２７ａの軸部の外径よりも十分に大きく設定されており、取付穴並び方向に直交するフランジ幅方向の内径（短径）は一方のスペーサー取付穴５４の内径に揃えられている。このように、両側のフランジ部５７のスペーサー取付穴５４のうちの一方を丸穴とし、他方を長穴とすることにより、両フランジ部５７にそれぞれ固定された各スペーサー３２をサブキャリッジ２６のヘッド取付部４０におけるスペーサー接着面４１に対してネジ留めする際に、サブキャリッジ２６側の止着穴２９の間隔とスペーサー取付穴５４の間隔との誤差が、長穴の長径の範囲内で許容される。
【００３８】
各スペーサー取付穴５４の開口周縁部６１は、フランジ部５７のスペーサー固定面６３（仲介部材固定面）よりも、取り付け状態におけるスペーサー３２側に突出している。この開口周縁部６１は、スペーサー取付穴５４の開口周囲を囲繞する状態で形成された土手状の突起である。また、フランジ部５７のスペーサー固定面６３において、スペーサー取付穴５４よりもフランジ幅方向の両外側には、平面視円形状の当接凸部６２がそれぞれ形成されている。本実施形態においては、両側のフランジ部５７の外側の隅角部にそれぞれ当接凸部６２が設けられている。この当接凸部６２は、フランジ部５７のスペーサー固定面６３よりも、取り付け状態におけるスペーサー３２側に突出している。
【００３９】
さらに、両側のフランジ部５７のスペーサー固定面６３のうちの一方のフランジ部５７ａ（図１４（ａ）における左側）には、後述するスペーサー３２の位置決め穴７７ａに対応して、スペーサー３２に対する位置決めの基準となる丸穴７６ａが開設されている。同様に、他方のフランジ部５７ｂ（図１４（ａ）における右側）には、スペーサー３２の位置決め穴７７ｂに対応して、スペーサー３２に対する位置決めの基準となる長穴７６ｂが開設されている。
【００４０】
丸穴７６ａは、図１８（ａ）に示すように、フランジ部５７ａにおいて、スペーサー取付穴５４、開口周縁部６１、および当接凸部６２に干渉しない位置であって、フランジ幅方向の中心線（図中に符号Ｏで示す）よりも一側（図中下側）に外れた位置（中心線Ｏからの距離を符号ｘで示す）に、フランジ部５７ａの厚さ方向を貫通した状態で設けられている。この丸穴７６ａは、平面視において丸穴形状の開口を持つ貫通穴であり、その内径は図示しない位置決め治具の位置決めピンの外径よりも僅かに大きく設定されている。また、長穴７６ｂは、図１８（ｂ）に示すように、スペーサー取付穴５４、開口周縁部６１、および当接凸部６２に干渉しない位置であって、フランジ幅方向の中心線（図中に符号Ｏで示す）よりも一側（図中下側）に外れた位置（中心線Ｏから丸穴７６ａまでと同じ距離ｘ）に、フランジ部５７ａの厚さ方向を貫通した状態で設けられている。この長穴７６ｂは、平面視において位置決め穴並設方向に長尺な長円形状の開口を持つ貫通穴である。この長穴７６ｂの位置決め穴並設方向の内径（長径）は、位置決め治具７９の位置決めピンの外径よりも十分に大きく設定されており、フランジ幅方向の内径（短径）は丸穴７６ａの内径に揃えられている。このように、両側のフランジ部５７のスペーサー固定面６３のうち、一方のフランジ部５７ａには丸穴７６ａを、他方のフランジ部５７ｂには長穴７６ｂをそれぞれ設けることにより、両フランジ部５７にそれぞれ固定される各スペーサー３２を位置決めする際に、丸穴７６ａと長穴７６ｂとの間隔と、位置決めピンの間隔との誤差が、位置決めピンと長穴７６ｂとの間に生じる間隙の範囲内で許容される。
【００４１】
ヘッドケース５２の先端面側には、流路ユニットやノズル形成面５３の周縁部を記録紙等の接触から保護するカバー部材５８が取り付けられる。このカバー部材５８は、ステンレス鋼などの導電性を有する薄手の金属板で作製されている。本実施形態におけるカバー部材５８は、中央部分に開口窓部５９が開設された額縁状のフレーム部５８ａと、ヘッドケース５２への取付け状態でフレーム部５８ａのノズル列方向両側の縁部からヘッドケース５２の側面に沿ってそれぞれ延出した側板部５８ｂと、により概略構成されている。各側板部５８ｂの先端部は、フランジ部５７に沿う形となるように外側に向けて屈曲されており、カバー止着ネジ６０によってフランジ部５７にネジ留めされている。このカバー部材５８は、流路ユニットやノズル形成面５３の周縁部を保護する機能以外に、ノズル形成面５３を接地電位に調整する機能も有している。
【００４２】
上記サブタンク３７は、流路部材２４からのインクを記録ヘッド１８の圧力室側に導入する部材である。サブタンク３７は、内部の圧力変動に応じてバルブを開閉し、圧力室側へのインクの導入を制御する自己封止機能を有している。このサブタンク３７の後端面（上面）におけるノズル列方向の両端部に、上記流路部材２４の接続流路が接続される流路接続部３８が設けられている。この流路接続部３８には図示しないリング状のパッキンが嵌め込まれており、このパッキンにより流路部材２４との液密性が確保される。また、サブタンク３７の内部には、圧力発生手段に駆動信号を供給するための駆動基板が設けられている（図示せず）。サブタンク３７の後端面の中央部の開口内には、当該駆動基板にフレキシブルケーブル（配線部材の一種。図示せず）を電気的に接続するコネクター４９が配設されている。
【００４３】
図２２はスペーサー３２（仲介部材の一種）の斜視図である。図２３はスペーサー３２の上面図である。図２４において（ａ）はスペーサー３２の正面図であり、（ｂ）は（ａ）における領域Ａの拡大図であり、（ｃ）は（ａ）における領域Ｂの拡大図である。図２５において（ａ）はスペーサー３２の右側面図であり、（ｂ）は（ａ）における領域Ｃの拡大図である。図２６はスペーサー３２の下面図である。また、図２７はフランジ部５７におけるスペーサー３２の取り付け位置の拡大平面図（図１０における領域Ｘの拡大図）であり、図２８は図２７におけるＡ−Ａ線断面図である。
【００４４】
本実施形態におけるスペーサー３２は、合成樹脂から成る部材であり、１つの記録ヘッド１８に対して両側のフランジ部５７のスペーサー取付面６３（サブタンク３７側の面）にそれぞれ１つずつ、合計２つ取り付けられる。このスペーサー３２は、サブキャリッジ２６のヘッド取付部４０におけるスペーサー接着面４１に配置されるベース面６５（本発明におけるヘッド固定部材接着面の一種）を有するスペーサー本体部６４と、このスペーサー本体部６４の幅方向（フランジ部５７に取り付けられた状態におけるフランジ幅方向に相当）の中央部に形成された中央隆起部６６と、当該中央隆起部６６に対して幅方向の両側に離隔して形成された側壁部６７と、から概略構成されている。平面視において、このスペーサー３２の幅方向の寸法はフランジ部５７の幅方向の寸法に概ね揃えられている。また、このスペーサー３２がフランジ部５７に正しく取り付けられた状態では、中央隆起部６６の一部（後述）が、フランジ部５７の突出端面よりも少し側方に突出する。
【００４５】
中央隆起部６６は、取り付け状態におけるフランジ部５７側となる方向に向けてスペーサー本体部６４から隆起している。この中央隆起部６６の幅方向両側の側面には、平面視においてヘッド固定ナット４３ｂ（図２７等参照。）の三辺の形状に倣った切欠が設けられている。この切欠は、側壁部６７の内壁面と共にヘッド固定ナット４３ｂの平面方向の姿勢（即ち、締結時の回転）を規制するヘッド固定ナット用切欠７０である。即ち、スペーサー本体部６４と、ナット用切欠７０と、側壁部６７とによって、ヘッド固定ナット４３ｂを収容するヘッド固定ナット収容部７２が区画されている。そして、スペーサー３２がフランジ部５７に固定される前の段階で、各ヘッド固定ナット収容部７２にヘッド固定ナット４３ｂがそれぞれ嵌め込まれる。
【００４６】
中央隆起部６６の奥行き方向の一方（フランジ部５７に取り付けた状態においてサブタンク３７側とは反対側）の部分は、スペーサー本体部６４から側方に突出している。この突出した部分には、奥行き方向の一方から他方に向けて次第に幅狭となる平面視略三角形状の治具用切欠７１が形成されている。この治具用切欠７１には、記録ヘッド１８をサブキャリッジ２６のヘッド取付部４０におけるスペーサー接着面４１に位置決めする際において、ヘッド保持用の治具が嵌合される。
【００４７】
中央隆起部６６の幅方向の中央部分には、記録ヘッド１８におけるフランジ部５７のスペーサー取付穴５４に対応してヘッド用挿通穴６８が開設されている。このヘッド用挿通穴６８は、図２３に示すように平面視において丸穴形状の貫通穴である。このヘッド用挿通穴６８の内径は、スペーサー固定ボルト２７ａの軸部の外径よりも僅かに大きく設定されており、スペーサー取付穴５４の内径に揃えられている。ヘッド用挿通穴６８の挿通穴周縁部７３は、中央隆起部６６の突出端面よりも、取り付け状態におけるフランジ部５７側に突出している。この挿通穴周縁部７３は、平面視においてヘッド用挿通穴６８の開口周囲を囲繞する土手状の突起であり、フランジ部５７の開口周縁部６１に対応する位置に設けられている。
【００４８】
中央隆起部６６の両側に設けられたヘッド固定ナット収容部７２には、サブキャリッジ２６のヘッド取付部４０に設けられた止着穴２９に対応して、サブキャリッジ用挿通穴６９（本発明における挿通穴の一種）がそれぞれ開設されている。これらのサブキャリッジ用挿通穴６９は、図２３に示すように平面視において丸穴形状の貫通穴であり、その内径はヘッド固定ボルト４３ａ（本発明における締結部材の一種）の軸部の外径よりも僅かに大きく設定されている。これにより、サブキャリッジ用挿通穴６９は、ヘッド固定ボルト４３ａの軸部を円滑に挿通することが可能であり、尚かつ、両者の間にガタツキが生じ難いように構成されている。このように、１つのスペーサー３２には、１つのヘッド用挿通穴６８と２つのサブキャリッジ用挿通穴６９が各々設けられている。即ち、スペーサー３２とサブキャリッジ２６とのヘッド固定ボルト４３ａおよびヘッド固定ナット４３ｂによる締結箇所は、スペーサー３２とフランジ部５７との締結箇所よりも幅方向の外側となる。
【００４９】
スペーサー３２の幅方向両端部にそれぞれ設けられている側壁部６７は、取り付け状態におけるフランジ部５７側となる方向に向けてスペーサー本体部６４から突出した壁であり、スペーサー本体部６４の幅方向両側面と一連に形成されている。この側壁部６７の突出端面は、中央隆起部６６の突出端面と同一面上に揃えられている。また、側壁部６７の突出端面には、当該端面から取り付け状態におけるフランジ部５７側となる方向に向けて当接突起部７４が突設されている。この当接突起部７４は、スペーサー３２がフランジ部５７に正しく取り付けられた状態（スペーサー固定ボルト２７ａおよびスペーサー固定ナット２７ｂによって締結された状態）において当接凸部６２に当接可能な位置に設けられている。
【００５０】
スペーサー３２のベース面６５側において、幅方向の中央部には、スペーサー固定ナット収容部７５が形成されている。このスペーサー固定ナット収容部７５は、平面視においてスペーサー固定ナット２７ｂの一部の形状に倣った窪みであり、ベース面６５からスペーサー３２の厚さ方向の途中まで窪んでいる。スペーサー固定ナット収容部７５にスペーサー固定ナット２７ｂが嵌め込まれて窪みの底部に着座した状態では、このスペーサー固定ナット収容部７５の内壁面によってスペーサー固定ナット２７ｂの平面方向の姿勢が規制される。即ち、スペーサー固定ボルト２７ａとの締結時のスペーサー固定ナット２７ｂの回転が防止される。また、このスペーサー固定ナット収容部７５の窪みの底部には、ヘッド用挿通穴６８が開口している。さらに、スペーサー３２における中央隆起部６６と側壁部６７との間であって、ヘッド固定ナット収容部７２から外れた位置には、スペーサー３２の厚さ方向を貫通した状態で位置決め穴７７が合計２箇所開設されている。これらの位置決め穴７７ａ，７７ｂは、スペーサー３２の幅方向中心部に対して左右対称となる位置に形成されている。
【００５１】
本実施形態における位置決め穴７７は、平面視円形の貫通穴である。一対の位置決め穴７７のうちの一方の位置決め穴７７ａ（図２３における左側）は、スペーサー３２において、当該スペーサー３２がフランジ部５７ａに取り付けられた状態における丸穴７６ａに対応する位置に設けられている。これに対して、他方の位置決め穴７７ｂ（図２３における右側）は、スペーサー３２において、当該スペーサー３２がフランジ部５７ｂに取り付けられた状態における長穴７６ｂに対応する位置に設けられている。即ち、各スペーサー３２には、フランジ部５７ａの丸穴７６ａに対応する位置決め穴７７ａと、フランジ部７５ｂの長穴７６ｂに対応する位置決め穴７７ｂと、がそれぞれ開設されている。
【００５２】
また、スペーサー３２におけるベース面６５側において、当該ベース面６５の外周縁のうち、スペーサー３２の幅方向の両側及びベース面６５の奥行き方向の一方（フランジ部５７に取り付けた状態においてサブタンク３７側とは反対側）には、これらの外周縁に沿って面取りが施されている。即ち、ベース面６５の外周縁の一部には、スペーサー３２がヘッド取付部４０におけるスペーサー接着面４１に取り付けられた状態において、当該ベース面６５の内側から外側に向かうにつれてスペーサー接着面４１に対して離間する（斜めに傾斜する）面取り部８０が、外周縁に沿って設けられている。本実施形態において、面取り部８０は、ベース面６５の奥行き方向の他方（フランジ部５７に取り付けた状態においてサブタンク３７側）における両隅のうち、一方の隅（図２６における左下）から治具用切欠７１が設けられた突出部分の根元部分（ベース面６５との境界部）を横断して他方の隅（図２６における右下）に亘って設けられている。この面取り部８０は、ベース面６５からその反対側に上り４５°傾斜する斜面状に形成されており、当該面取り部８０内に捕捉された接着剤を溜めるバッファとして機能する。なお、本発明における面取り部８０は、ベース面６５（底面）に対して傾斜する所謂Ｃ面として形成されているが、丸み（曲率）を有する所謂Ｒ面として形成されていても良い。
【００５３】
さらに、スペーサー３２におけるベース面６５側において、当該ベース面６５と面取り部８０との境界部には、当該境界部に沿って、当該ベース面６５から反対側に向けて一段窪んだ段部８１が設けられている。この段部８１は、ベース面６５よりも反対側において当該ベース面６５と平行な段差面８１ａと、この段差面８１ａの内縁とベース面６５の外縁とを連結する連結面８１ｂと、から構成されている。本実施形態において、段部８１は、スペーサー３２の幅方向の両側における面取り部８０とベース面６５との間と、治具用切欠７１が設けられた突出部分の根元部分とベース面６５との間と、に設けられている。ベース面６５に対する段部８１における段差面８１ａの落差（窪み量）は、スペーサー３２の厚さに比べて十分に小さい。そして、サブキャリッジ２６におけるヘッド取付部４０のスペーサー接着面４１にスペーサー３２のベース面６５を当接させた状態では、この段部８１においてスペーサー接着面４１との間に僅かな隙間が生じる。これにより、後述する接着工程において接着剤が面取り部８０から注入された際に、毛管力によって段部８１に接着剤が誘導されて補足される。この段部８１に捕捉された接着剤は、毛管力によってベース面６５の外周縁に沿って行き渡る。この段部８１は、接着剤を溜めるバッファとして機能する。
【００５４】
次に、上記のヘッドユニット１７の製造工程（組み立て工程）について説明する。
上記のように構成されたスペーサー３２は、記録ヘッド１８がサブキャリッジ２６に取り付けられる前の段階で、記録ヘッド１８の両側のフランジ部５７ａ，５７ｂに、スペーサー固定ボルト２７ａおよびスペーサー固定ナット２７ｂによってそれぞれ締結される（スペーサー取付工程）。このスペーサー取付工程（本発明における仲介部材固定工程の一種）では、まず、位置決め治具（図示せず）に記録ヘッド１８がセットされる。位置決め治具７９には、一対の位置決めピン（図示せず）が立設されており、一方の位置決めピンをフランジ部７５ａの丸穴７６ａに挿通すると共に、他方の位置決めピンをフランジ部７５ｂの長穴７６ｂに挿通することで、位置決め治具に対する記録ヘッド１８の平面方向（ノズル形成面に平行な面方向）の位置が規定される。ここで、長穴７６ｂの位置決め穴並設方向の内径は、位置決めピンの外径よりも大きく設定されているので、丸穴７６ａと長穴７６ｂとの間隔と、位置決めピンの間隔との間の誤差が、他方の位置決めピンと長穴７６ｂとの間に生じる間隙の範囲内で許容される。
【００５５】
記録ヘッド１８を位置決め治具にセットしたならば、当該記録ヘッド１８の両側のフランジ部５７ａ，５７ｂに、それぞれスペーサー３２が配置される。各スペーサー３２は、挿通穴周縁部７３をフランジ部５７の開口周縁部６１に対向させると共に、治具用切欠７１を互いに反対側（外側）に向けて、ヘッド本体を中心として対称な姿勢（即ち、１８０°回転した姿勢）でフランジ部５７にそれぞれ配置される。このとき、一方のフランジ部５７ａに配置されるスペーサー３２は、フランジ部７５ａの丸穴７６ａから突出した一方の位置決めピンが位置決め穴７７ａに挿入されることで、当該フランジ部５７ａに対して位置決めされる。なお、位置決め穴７７ａを中心としたスペーサー３２の回転については、図示しない他の治具によって規制される。同様に、他方のフランジ部５７ｂに配置されるスペーサー３２は、フランジ部７５ｂの長穴７６ｂから突出した他方の位置決めピンが位置決め穴７７ｂに挿入されることで、当該フランジ部５７ｂに対して位置決めされる。そして、各スペーサー３２は、位置決めされた状態でスペーサー固定ボルト２７ａおよびスペーサー固定ナット２７ｂによってフランジ部５７に締結される。このようにして、各フランジ部５７ａ，５７ｂに対してスペーサー３２が互いに対称となる向きで位置決めされて固定される。
【００５６】
ここで、フランジ部５７にスペーサー３２を配置し、スペーサー固定ボルト２７ａおよびスペーサー固定ナット２７ｂによって締結する前の状態では、フランジ幅方向において当該締結箇所から可及的に離れた両端部で当接凸部６２と当接突起部７４とが当接する一方で、スペーサー３２とフランジ部５７の締結箇所（締結予定箇所）、即ち、スペーサー取付穴５４の開口周縁部６１とヘッド用挿通穴６８の挿通穴周縁部７３との間において間隙Ｇ（図２８参照）が生じる。これにより、スペーサー固定ボルト２７ａおよびスペーサー固定ナット２７ｂによってスペーサー３２をフランジ部５７に締結した後の状態では、当接凸部６２と当接突起部７４とは、スペーサー３２とフランジ部５７の締結箇所およびスペーサー３２とサブキャリッジ２６の締結箇所よりもフランジ幅方向の外側において他の部分よりも優先的に当接する。これらの当接凸部６２と当接突起部７４との当接により、フランジ部５７に対するスペーサー３２の高さ方向の位置および姿勢が規制される。このような構成を採用することにより、記録ヘッド１８とスペーサー３２との間で、両側のフランジ部５７の締結箇所同士を結ぶ仮想線に直交する方向、本実施形態においては、記録ヘッド１８の短尺方向において傾きが生じることが抑制される。したがって、記録ヘッド１８を、スペーサー３２を介在させてサブキャリッジ２６に取り付けた状態においても、サブキャリッジ２６に対して記録ヘッド１８が短尺方向に傾くことが抑制される。
【００５７】
記録ヘッド１８の両側のフランジ部５７にそれぞれスペーサー３２が固定されたならば、次に、サブキャリッジ２６のヘッド取付部４０に対する記録ヘッド１８の位置決めが行われる。この位置決め工程では、例えば、記録ヘッド１８の両側のフランジ部５７にそれぞれ固定されたスペーサー３２のベース面６５を、これらの各スペーサー３２のベース面６５に対応したサブキャリッジ２６のベース部２６ａにおける一対のヘッド取付部４０それぞれにおけるスペーサー接着面４１に対向させた状態で、記録ヘッド１８をセットする。そして、セットされた記録ヘッド１８のノズル形成面５３をＣＣＤカメラ等の撮像手段を用いて観察しながら、当該ノズル形成面５３の予め定められた複数（少なくとも２箇所）の特定のノズル５１が規定位置に位置付けられるように、ベース部２６ａのヘッド取付部４０上における記録ヘッド１８の位置が調整される。
【００５８】
取り付け対象の記録ヘッド１８が位置決めされたならば、続いて、当該記録ヘッド１８に取り付けられたスペーサー３２が、ベース部２６ａのヘッド取付部４０におけるスペーサー接着面４１に対して接着剤によって仮固定される（接着工程）。この接着工程において、ヘッド取付部４０におけるスペーサー接着面４１とスペーサー３２との間に、マイクロシリンジなどのディスペンサーを用いて接着剤が充填される。これにより、充填された接着剤は、毛管力によってベース面６５とスペーサー接着面４１との間に向けて誘導されて、これらの面の間の間隙に行き渡る。この際に、面取り部８０に捕捉された接着剤は、面取り部８０に沿ってベース面６５の外周縁に回り込んで面取り部８０内に溜められる。また、ベース面６５の内側に向かった接着剤は、段部８１に捕捉され、毛管力によって段部８１を伝わることで、接着剤が段部８１に沿ってベース面６５の外周縁に回り込んで段部８１内に溜められる。これにより、スペーサー３２の外周縁に沿って接着剤を回り込み易くすることができると共に、接着剤がスペーサー３２の外周縁から溢れ出すことを抑制することができる。この結果、サブキャリッジ２６とスペーサー３２との接着性が向上し、記録ヘッド１８の取り付け位置精度を高めることができる。さらに、ヘッド取付部４０におけるスペーサー接着面４１から外側に向かって接着剤が万一溢れたとしても、溢れ出した接着剤は接着剤受部４２に捕捉される。これにより、溢れ出した接着剤が隣り合う記録ヘッド１８に対応するスペーサー接着面４１まで流れ込むことが抑制される。
【００５９】
このようにして、スペーサー３２のベース面６５がベース部２６ａのヘッド取付部４０におけるスペーサー接着面４１に対して接着剤によって仮固定される。この仮固定に用いられる接着剤としては、シアノアクリレートを主成分とした所謂瞬間接着剤が好適であるが、完全に硬化した状態でサブキャリッジ２６に対して記録ヘッド１８がガタつくことなく固定される程度の剛性を発揮するものであれば、任意の接着剤を用いることができる。例えば、紫外線硬化型の接着剤を採用することも可能である。この場合、スペーサー３２又はサブキャリッジ２６を、透光性を有する素材で作製することが望ましい。そして、接着剤が硬化した後、ヘッド固定ボルト４３ａおよびヘッド固定ナット４３ｂによってスペーサー３２とベース部２６ａとが締結されて、記録ヘッド１８ａがベース部２６ａの規定位置に本固定される。
【００６０】
このような手順でサブキャリッジ２６に対して各記録ヘッド１８が取り付けられる。その後、流路部材２４がサブキャリッジ２６に固定される。上述したように、流路部材２４は、流路止着ネジ４５によってサブキャリッジ２６に対して固定される。この際、流路部材２４の接続流路が各記録ヘッド１８のサブタンク３７の流路接続部３８にそれぞれ挿入されて液密状態で連結される。なお、流路部材２４は、各記録ヘッド１８がサブキャリッジ２６に取り付けられる前の段階で、サブキャリッジ２６に固定されるようにしても良い。
【００６１】
以上の工程を経てヘッドユニット１７が完成する。このヘッドユニット１７は、上述したように、キャリッジ本体１２の底板部１２ａの底部開口１９から各記録ヘッド１８のノズル形成面５３を露出させた状態で、キャリッジ本体１２の内部に収容され、キャリッジ本体１２に対するヘッドユニット１７の位置や傾きなどの姿勢が調整された後、ヘッドユニット固定ネジ２２によりネジ留めされて固定される。
【００６２】
以上説明したように、本実施形態のヘッドユニット１７は、記録ヘッド１８がスペーサー３２を固定するフランジ部５７を有し、スペーサー３２が、サブキャリッジ２６のヘッド取付部４０におけるスペーサー接着面４１に対して接着剤によって接着固定されるベース面６５を有し、ベース面６５の外周縁のうち、スペーサー３２の幅方向の両側及びベース面６５の奥行き方向の一方には、ベース面６５の内側から外側に向かうにつれてスペーサー接着面４１に対して離間する面取り部８０が、外周縁に沿って設けられているので、面取り部８０から注入された接着剤を、毛管力によってベース面６５とスペーサー接着面４１との間に向けて誘導しながらこれらのベース面６５とスペーサー接着面４１との間の間隙に行き渡らせることができる。また、面取り部８０を接着剤を溜めるバッファとして機能させることができる。これにより、スペーサー３２の外周縁から外側に接着剤が溢れ出すことを抑制することができると共に、スペーサー３２の外周縁に沿って接着剤を回り込み易くすることができる。この結果、サブキャリッジ２６とスペーサー３２との接着性が向上し、記録ヘッド１８の取り付け位置精度を高めることができる。
【００６３】
また、ベース面６５とスペーサー接着面４１との境界部には、境界部に沿って、スペーサー接着面４１から反対側に向けて一段窪んだ段部８１が設けられているので、毛管力によって接着剤が段部８１に誘導され、ベース面６５とスペーサー接着面４１の境界部、即ちベース面６５の外周縁に沿って接着剤をさらに回り込み易くすることができる。また、段部８１を、接着剤を溜めるバッファとしても機能させることができる。
【００６４】
また、サブキャリッジ２６は、スペーサー接着面４１が設けられたヘッド取付部４０を有し、ヘッド取付部４０よりも外側には、スペーサー接着面４１から反対側に窪ませて形成された接着剤受部４２が設けられ、ヘッド取付部４０は、ベース面６５に対して突出した島状に形成されているので、ヘッド取付部４０（スペーサー接着面４１）の形状・寸法を重点的に管理することで、スペーサー接着面４１に接着固定されるスペーサー３２の取り付け位置精度を向上させることができる。また、ヘッド取付部４０におけるスペーサー接着面４１から外側に接着剤が万一溢れ出したとしても、溢れ出した接着剤を接着剤受部４２に捕捉することができる。これにより、サブキャリッジ２６に記録ヘッド１８を複数並べて配置した場合に、溢れ出した接着剤が隣り合う液体噴射ヘッド１８に対応するスペーサー接着面４１まで流れ込むことを抑制することができる。
【００６５】
また、本実施形態のプリンター１は、上記したヘッドユニット１７を備えているので、記録ヘッド１８におけるノズル５１の位置精度が向上し、記録媒体に対するインクの着弾位置精度を向上させることができる。
【００６６】
なお、本発明は、上記した各実施形態に限定されるものではなく、特許請求の範囲の記載に基づいて種々の変形が可能である。
【００６７】
図２９は他の実施形態におけるスペーサーの構成を説明する下面図であり、図３０はフランジ部におけるスペーサー固定部分の拡大断面図（図２９におけるＡ−Ａ線断面図）である。
例えば、スペーサー３２には、サブキャリッジ用挿通穴６９におけるベース面６５側の開口周縁に座繰８２が設けられていても良い。この座繰８２は、ベース面６５からスペーサー３２の厚さ方向の途中まで窪んで形成されており、その内径はサブキャリッジ用挿通穴６９の内径よりも僅かに大きく設定されている。このような構成を採用することによって、ベース面６５から止着穴２９内に接着剤が流れ込んだとしても、流れ込んだ接着剤を座繰８２内に溜めることができる。これにより、止着穴２９内においてベース面６５側からその反対側の記録ヘッド１８側に向かって接着剤が這い上がることを防止することができる。この結果、溢れ出した接着剤が記録ヘッド１８に付着する不都合を防止することができる。
【００６８】
また、例えば、上記各実施形態では、記録媒体に対して記録ヘッド１８を往復移動させながらインクの噴射を行う構成を例示したが、これには限られない。例えば、記録ヘッド１８の位置を固定した状態で、当該記録ヘッド１８に対して記録媒体を移動させながらインクの噴射を行う構成を採用することもできる。
【００６９】
そして、以上では、液体噴射装置の一種であるインクジェット式プリンター１を例に挙げて説明したが、本発明は、ヘッド固定部材に対して仲介部材を介在させた状態で液体噴射ヘッドが固定される構成を採用する他の液体噴射装置にも適用することができる。例えば、液晶ディスプレイ等のカラーフィルターを製造するディスプレイ製造装置，有機ＥＬ（Electro Luminescence）ディスプレイやＦＥＤ（面発光ディスプレイ）等の電極を形成する電極製造装置，バイオチップ（生物化学素子）を製造するチップ製造装置，ごく少量の試料溶液を正確な量供給するマイクロピペットにも適用することができる。
【符号の説明】
【００７０】
１…プリンター，１７…ヘッドユニット，１８…記録ヘッド，２６…サブキャリッジ，３２…スペーサー，４０…ヘッド取付部，４１…スペーサー接着面，４２…接着剤受部，４３ａ…ヘッド固定ボルト，５１…ノズル，５３…ノズル形成面，５６…ノズル列，５７…フランジ部，６５…ベース面，６９…サブキャリッジ用挿通穴，８０…面取り部，８１…段部，８２…座繰
【図１】
0005732837.tif 000002
【図２】
0005732837.tif 000003
【図３】
0005732837.tif 000004
【図４】
0005732837.tif 000005
【図５】
0005732837.tif 000006
【図６】
0005732837.tif 000007
【図７】
0005732837.tif 000008
【図８】
0005732837.tif 000009
【図９】
0005732837.tif 000010
【図１０】
0005732837.tif 000011
【図１１】
0005732837.tif 000012
【図１２】
0005732837.tif 000013
【図１３】
0005732837.tif 000014
【図１４】
0005732837.tif 000015
【図１５】
0005732837.tif 000016
【図１６】
0005732837.tif 000017
【図１７】
0005732837.tif 000018
【図１８】
0005732837.tif 000019
【図１９】
0005732837.tif 000020
【図２０】
0005732837.tif 000021
【図２１】
0005732837.tif 000022
【図２２】
0005732837.tif 000023
【図２３】
0005732837.tif 000024
【図２４】
0005732837.tif 000025
【図２５】
0005732837.tif 000026
【図２６】
0005732837.tif 000027
【図２７】
0005732837.tif 000028
【図２８】
0005732837.tif 000029
【図２９】
0005732837.tif 000030
【図３０】
0005732837.tif 000031